(57)【要約】【課題】  本発明は、講演者自身がマイクロホンと書見板を、講演台にある手元スイッチ操作により自分の好む所定の位置に設定し、話しやすい環境を整え、講演の内容をより充実させ、音声を明瞭に聴衆に提供できる講演台を提供することを目的とした。【解決手段】  本発明は、それを具体化するために、講演台ボックス部内にマイクロホン上下昇降駆動装置にマイクロホンをセットし、書見板上下昇降駆動装置には書見板を取り付けて、各各を講演台にある手元スイッチおよび遠隔操作スイッチ盤で自在に操作して、好む位置にマイクロホンと書見板を設定できることを可能にしたマイクロホンと書見板上下昇降式講演台である。【選択図】図１
2011072762.tif 000002
【特許請求の範囲】
【請求項１】
講演台のボックス内に、マイクロホン上下昇降駆動装置Ａと書見板上下昇降駆動装置Ｂを配置固定し、この２つの駆動装置稼働部ＡＡとＢＢを、講演台にある手元スイッチ操作で自在に上昇下降させことができ、しかも遠隔操作スイッチ盤のスイッチ操作でもマイクロホン１Ｒと１Ｌおよび書見板６を任意の位置に設定できるマイクロホンと書見板上下昇降式講演台。
（イ）マイクロホン上下昇降駆動装置Ａは、ラックシャフト８とリニアヘッド９とモーター１０および歯車１１とポテンショメータ１２の部品で構成している。そして、ラックシャフト８の縦軸上端と下端をボルトｂで固定する。加えて、附属部品としてパイプシャフト連結板４を、ラックヘッド９の前面にボルトｂで固定し、さらにパイプシャフト連結板４の左右両端の穴にパイプシャフト３をはめ込み、各各をネジで固定する。その２本のパイプシャフト３の先端にマイクロホンを繋ぐコネクタ２を装着し、その各各にマイクロホン１Ｒと１Ｌを挿入したものである。
（ロ）書見板上下昇降駆動装置Ｂは、ラックシャフト８とリニアヘッド９とモーター１０および歯車１１とポテンショメータ１２の部品で構成している。そして、ラックシャフト８の縦軸上端と下端をボルトｂで固定する。加えて、附属部品として書見板シャフト７の下部をラックヘッド９の前面にボルトｂで固定し、その書見板シャフトの先端に書見板６を取り付けたものである。
（ハ）天板上の手元スイッチは、アクリル板ＡＢに２個のリターンスイッチを配置固定し、その内の一つはマイクロホン上下昇降駆動装置稼働部ＡＡの上昇と下降を始動し、停止させるための機能をコントロールするマイクロホン上下昇降スイッチＳ１で、もう一つのスイッチは、書見板上下昇降駆動装置稼働部ＢＢの上昇と下降を始動し、停止させるための機能をコントロールする書見板上下昇降スイッチＳ２である。
（ニ）マイクロホンと書見板上下昇降遠隔操作スイッチ盤ＲＣは、金属ケース１８の表面上部に右に数値表示パネル１９Ｒと左に数値表示パネル１９Ｌをはめ込み固定した。そして、数値表示パネル１９Ｒの下に書見板上下昇降駆動装置稼働部ＢＢの上昇と下降の作動を操作するスイッチＳ２を固定した。同様に数値表示パネル１９Ｌの下にもマイクロホン上下昇降駆動装置稼働部ＡＡの上昇と下降の作動を操作するスイッチＳ１を固定したものである。
なお、マイクロホンと書見板上下昇降遠隔操作スイッチ盤ＲＣは、ステージ袖などから講演者に代わって他の人がマイクロホンと書見板を講演者の好む位置に設置するためのスイッチ操作盤である。
【請求項２】
請求項１のマイクロホン上下昇降駆動装置稼働部ＡＡと書見板上下昇降駆動装置稼働部ＢＢを始動させ停止させる講演台にある手元スイッチとマイクロホンと書見板上下昇降遠隔操作スイッチ盤ＲＣのスイッチ操作方法とその機能。
（イ）講演台にあるマイクロホン上下昇降スイッチＳ１と書見板上下昇降スイッチＳ２とマイクロホンと書見板上下昇降遠隔操作スイッチ盤ＲＣのスイッチ操作方法と機能は全く同じである。
（ロ）マイクホンと書見板を同時に等間隔で上昇させ、下降させる操作方法。
マイクロホン上下昇降スイッチＳ１と書見板上下昇降スイッチＳ２を人差し指と中指で同時に前へ押すと、瞬時にマイクロホン上下昇降駆動装置稼働部ＡＡと書見板上下昇降駆動装置稼働部ＢＢが始動上昇する。マイクロホン１Ｒと１Ｌおよび書見板６が好む位置にきたら直ぐスイッチから２本の指を離すと、マイクロホン上下昇降駆動装置稼働部ＡＡと書見板上下昇降駆動装置稼働部ＢＢが瞬時に停止して、マイクロホン１Ｒと１Ｌおよび書見板６が所定の位置に設定されるのである。
また、マイクホンと書見板を同時に等間隔で下降させるには、マイクロホン上下昇降スイッチＳ１と書見板昇降スイッチＳ２を人差し指と中指で同時に手前に引くと、瞬時にマイクロホン上下昇降駆動装置Ａ稼働部ＡＡと書見板上下昇降駆動装置稼働部ＢＢが始動下降する。マイクロホン１Ｒと１Ｌおよび書見板６が好む位置にきたら、直ぐスイッチから２本の指を離すとマイクロホン上下昇降駆動装置稼働部ＡＡと書見板上下昇降駆動装置稼働部ＢＢが瞬時に停止して、マイクロホン１Ｒと１Ｌおよび書見板６が所定の位置に設定されるのである。
（ハ）マイクロホンのみ上昇させ、下降させる操作方法。
マイクロホン上下昇降スイッチＳ１を人差し指で前へ押すと、マイクロホン上下昇降駆動装置稼働部ＡＡが瞬時に始動上昇する。マイクロホン１Ｒと１Ｌが好みの位置にきたら、直ぐスイッチから指を離すとマイクロホン上下昇降駆動装置稼働部ＡＡのみが瞬時に停止して、マイクロホン１Ｒと１Ｌが所定の位置に設定されるのである。
マイクロホンのみ下降させるには、マイクロホン上下昇降スイッチＳ１を人差し指で手前に引くと、マイクロホン上下昇降駆動装置稼働部ＡＡが瞬時に始動下降する。マイクロホン１Ｒと１Ｌが好みの位置にきたら直ぐスイッチから指を離すとマイクロホン上下昇降駆動装置稼働部ＡＡのみが瞬時に停止して、マイクロホン１Ｒと１Ｌが所定の位置に設定されるのである。
（ニ）書見板のみ上昇させ、下降させる操作方法。
書見板上下昇降スイッチＳ２を人差し指で前へ押すと、書見板上下昇降駆動装置稼働部ＢＢが瞬時に始動上昇する。書見板６が好みの位置にきたら直ぐスイッチから指を離すと書見板上下昇降駆動装置稼働部ＢＢのみが瞬時に停止して、書見板が所定の位置に設定されるのである。
書見板のみ下降させるには、書見板昇降スイッチＳ２を人差し指で手前に引くと、書見板上下昇降駆動装置稼働部ＢＢが瞬時に始動下降する。書見板６が好みの位置にきたら直ぐスイッチから指を離すと書見板上下昇降駆動装置稼働部ＢＢのみが瞬時に停止して、書見板が所定の位置に設定されるのである。
【請求項３】
マイクロホン上下昇降駆動装置と書見板上下昇降駆動装置のユニットＡＢＵと手元スイッチユニットＳＵおよびマイクロホンと書見板上下昇降遠隔操作スイッチ盤ユニットＲＣＵを採用して、講演台を多種の素材を組み合わせかつ多彩なデザインや多様な形状やサイズに、創りあげることができるマイクロホンと書見板上下昇降式講演台。
（イ）マイクロホン上下昇降駆動装置と書見板上下昇降駆動装置のユニットは、マイクロホン上下昇降駆動装置Ａと書見板上下昇降駆動装置Ｂを金属フレームＭＦ内に配置固定し、オーバラン防止にリミットスイッチ４個を配置固定し、加えて、金属フレームＭＦにモーター制御盤１３と電源コンセント盤Ｄを取り付けてものである。
このユニットを講演台内に組み込んだ後、必要部品を取り付ける。
マイクロホン上下昇降駆動装置の可動部ＡＡのリニアヘッド９の前面に、パイプシャフト連結板４を２本のボルトｂで固定し、そのパイプシャフト連結板４の左右両端の穴にパイプシャフト３を挿入し、各各をネジＳＣで固定する。
さらに、パイプシャフト３の二本の先端にコネクタ２を装着し、右のコネクタ２にはマイクロホン１Ｒ、左のコネクタ２にはマイクロホン１Ｌを挿入する。これで、マイクロホン上下昇降駆動装置稼働部ＡＡに必要な附属部品が取り付けられた。
そして、書見板上下昇降駆動装置の稼働部ＢＢのリニアヘッド９前面に書見板シャフト７を２本のボルトで固定し、その書見板シャフト７の頂点やや下、側面横にあるボルト穴２つに、書見板６の下面中央にある金具をボルトで固定する。上の穴はボルトで、下の穴にはノブ付ボルトｋｂで固定する。これで、書見板上下昇降駆動装置稼働部ＢＢに必要な附属部品が取り付けられたのである。
（ハ）手元スイッチのユニットＳＵ
アクリル板にリターンスイッチＲＳ２個を配置固定し、その内のスイッチの一つはマイクロホン上下昇降スイッチＳ１でマイクロホン上下昇降駆動装置稼働部ＡＡの上昇や下降を始動させ停止させるのを操作するため。もう一つは書見板上下昇降スイッチＳ２で書見板上下昇降駆動装置稼働部ＢＢの上昇や下降を始動させ停止させるのを操作するものである。
（ニ）マイクロホンと書見板上下昇降遠隔操作スイッチ盤ユニットＲＣＵ。
表面上部の右に数値表示パネル１９Ｒを、左に数値表示パネル１９Ｌをはめ込み、数値表示パネル１９Ｒの下に書見板上下昇降スイッチＳ２を固定し、数値表示パネル１９Ｌの下にマイクロホン上下昇降スイッチＳ１を固定した。部品が取り付けられた金属ケース１８にケーブル２０を接続し、ケーブルの先端にプラグＰを取り付けユニットとしたものである。
（ホ）上記のユニットにより、制作工程が短縮され、多種の素材とその組み合わせで講演台が講演者が話すための単なる備品でなく、優美な工芸品としてホールを飾るのに貢献するのである。
【発明の詳細な説明】
【技術分野】
【０００１】本発明は、講演台に設置されているマイクロホンと書見板の各各を、講演者自身が講演台にある手元スイッチの操作によって、好みの位置へ自在に上昇や下降させることができるマイクロホンと書見板上下昇降式講演台に関するものである。
【背景技術】
【０００２】従来の講演台は、ボックス型上部本体とボックス型下部本体から成り、その内部にモーターとパンタグラフで構成された上下昇降駆動装置を設置し、それを天板上にあるスイッチで操作して、ボックス上部本体のみ上昇や下降させるものである。【０００３】
【特許文献１】特許３３５７３４４
【発明の概要】
【発明が解決しようとする課題】
【０００４】そのために次のような問題点があった。
１．講演台の天板の上にマイクロホンを別に設置しなければならず、あるいは設置されてあるマイクロホンの高さと位置は、各講演者の身長の違いに適合しなかったり、マイクロホンと講演者の口元までの距離が不適であったりして、講演者自身が話しづらかったり、講演者の声が明瞭にマイクに収音されない可能性があった。しかも、備え付けのマイクロホンは、講演者自身がコントロールして好みの位置へ設定できなかった。
２．講演台の天板が平面であるため、あるいはやや傾斜がついているものもあるが、そのいずれも天板上に原稿を置くと講演者の視力に適合しなかったりして、講演者が原稿に焦点を合わせにくく、原稿が見にくいという難点があった。
３．従来の講演台には、マイクロホンと書見板が具備され、その各各を講演者自身が手元に設置されているスイッチ操作によって、マイクロホンと書見板を好む位置に自在に設定できる講演台は皆無であった。
４．また、従来の講演台には、広いステージの中央に置かれた講演台へ、講演者がステージの袖から講演台に到着する間に、講演者に代わってステージの袖から他の人が遠隔操作によって、講演者自身の好む位置にマイクロホンと書見板を自在に設定できる講演台も皆無であった。
５．従来の講演台の外観が概してボックス型で、色彩やデザインにも形状やサイズにも乏しく講演を行なうための単なる備品に過ぎない感があった。
【課題を解決するための手段】
【０００５】そこで本発明では、講演台のボックス部Ｃ内に、マイクロホンと書見板を上昇下降させるための駆動装置を２基配置固定した。その一つはマイクロホン上下昇降駆動装置Ａで、その内にある部品ラックシャフト８の縦軸上端と縦軸下端を各各ボルトで固定し動かないように設置した。そして、もう一つは書見板上下昇降駆動装置Ｂで、その内にある部品ラックシャフト８の縦軸上端と縦軸下端を各各ボルトで固定し不動にした。
この固定したラックシャフト８の縦軸を、マイクロホン上下昇降駆動装置稼働部ＡＡが天板上のマイクロホン上下昇降スイッチＳ１の操作で、上昇および下降を実行する部分である。もう１本のラックシャフト８の縦軸を書見板上下昇降駆動装置稼働部ＡＡが天板上の書見板上下昇降スイッチＳ２の操作で、上昇および下降を実行する部分である。【０００６】上記の講演台のボックス部Ｃ内に設置した、マイクロホン上下昇降駆動装置Ａと書見板上下昇降駆動装置Ｂの各各の稼働部ＡＡとＢＢのリニアヘッド９前面に附属部品を取り付ける。稼働部ＡＡのリニアヘッド９前面にはパイプシャフト連結板４を２本のネジＳＣで固定し、そのパイプシャフト連結板４の左右両端の穴にパイプシャフト３を挿入しネジＳＣで固定する。固定された２本のパイプシャフト３の上先端の各各に、コネクタ２を装着し、その左のコネコタ２にマイクロホン１Ｌを、右のコネクタ２にはマイクロホン１Ｒを挿入する。これで、マイクロホン上下昇降駆動装置Ａに心要な付属部品が装着されその機能を果たすため整えられた。【０００７】また、書見板上下昇降駆動装置稼働部ＢＢのリニアヘッド９前面には、書見板シャフト７の下部を２本のボルトｂで固定して、その書見板シャフト７最先端に書見板６を装着する。これで、書見板上下昇降駆動装置Ａに必要な付属部品が装着されその機能を果たすため整えられた。【０００８】次は、天板１５上にある手元スイッチ、つまりマイクロホン上下昇降スイッチＳ１と書見板上下昇降スイッチＳ２の操作方法およびマイクロホンと書見板上下昇降遠隔操作スイッチ盤ＲＣにあるスイッチの操作方法が、マイクロホン上下昇降駆動装置稼働部ＡＡならびに書見板上下昇降駆動装置稼働部ＢＢを始動させ停止させて、マイクロホン１Ｒとマイクロホン１Ｌと書見板６を講演者の好む位置に設置できるかを順を追って説明する。
そして、天板１５上にある手元スイッチと遠隔操作スイッチ盤ＲＣあるスイッチは操作方法とその機能においては全く同じである。
イ．マイクロホン１Ｒと１Ｌおよび書見板６を同時に等間隔で上昇させる場合。
マイクロホン上下昇降スイッチＳ１と書見板上下昇降スイッチＳ２を人差し指と中指で同時に前へ押すと、瞬時にマイクロホン上下昇降駆動装置稼働部ＡＡと書見板上下昇降駆動装置稼働部ＢＢが始動上昇する。マイクロホン１Ｒと１Ｌおよび書見板６が好む位置にきたら直ぐスイッチから２本の指を離すと、マイクロホン上下昇降駆動装置稼働部ＡＡと書見板上下昇降駆動装置稼働部ＢＢが瞬時に停止して、マイクロホン１Ｒと１Ｌおよび書見板６が所定の位置に設定されるのである。
ロ．マイクロホン１Ｒと１Ｌおよび書見板６を同時に等間隔で下降させる場合。
マイクロホン上下昇降スイッチＳ１と書見板昇降スイッチＳ２を人差し指と中指で同時に手前に引くと、瞬時にマイクロホン上下昇降駆動装置稼働部ＡＡと書見板上下昇降駆動装置稼働部ＢＢが始動下降する。マイクロホン１Ｒと１Ｌおよび書見板６が好む位置にきたら、直ぐスイッチから２本の指を離すとマイクロホン上下昇降駆動装置稼働部ＡＡと書見板上下昇降駆動装置稼働部ＢＢが瞬時に停止して、マイクロホン１Ｒと１Ｌおよび書見板６が所定の位置に設定されるのである。
ハ．マイクロホン１Ｒとマイクロホン１Ｌのみ上昇させる場合。
マイクロホン上下昇降スイッチＳ１を人差し指で前へ押すと、マイクロホン上下昇降駆動装置稼働部ＡＡが瞬時に始動上昇する。マイクロホン１Ｒと１Ｌが好みの位置にきたら、直ぐスイッチから指を離すとマイクロホン上下昇降駆動装置稼働部ＡＡのみが瞬時に停止して、マイクロホン１Ｒと１Ｌが所定の位置に設定されるのである。
ニ．マイクロホン１Ｒとマイクロホン１Ｌのみ下降させる場合。
マイクロホン上下昇降スイッチＳ１を人差し指で手前に引くと、マイクロホン上下昇降駆動装置稼働部ＡＡが瞬時に始動下降する。マイクロホン１Ｒと１Ｌが好みの位置にきたら直ぐスイッチから指を離すとマイクロホン上下昇降駆動装置稼働部ＡＡのみが瞬時に停止して、マイクロホン１Ｒと１Ｌが所定の位置に設定されるのである。
ホ．書見板６のみ上昇させる場合。
書見板上下昇降スイッチＳ２を人差し指で前へ押すと、書見板上下昇降駆動装置稼働部ＢＢが瞬時に始動上昇する。書見板６が好みの位置にきたら直ぐスイッチから指を離すと書見板上下昇降駆動装置稼働部ＢＢのみが瞬時に停止して、書見板が所定の位置に設定されるのである。
ヘ．書見板６のみ下降させる場合。
書見板昇降スイッチＳ２を人差し指で手前に引くと、書見板上下昇降駆動装置稼働部ＢＢが瞬時に始動下降する。書見板６が好みの位置にきたら直ぐスイッチから指を離すと書見板上下昇降駆動装置稼働部ＢＢのみが瞬時に停止して、書見板が所定の位置に設定されるのである。【０００９】講演者が原稿を見やすく、講演者が話しやすくその声が確実且つ明瞭にマイクロホンに収音される方策を採用した。
その１．２本のマイクロホン１Ｒとマイクロホン１Ｌを書見板６の前、右に１Ｒと左に１Ｌを配置しマイクヘッドとマイクヘッドの間に約２０ｃｍほどの間隔ＳＰを取った。また講演者の口元からマイクヘッドの間に約２０ｃｍほどの距離ＳＰを取った。この対策により講演者の息遣い、半濁音パピプペポＢＮの吹かれを軽減することができるよう工夫した。
その２．従来多く使用してきたダイナミックマイクロホンの大きなマイクロホンヘッドが、講演者の鼻の直ぐ前と口元の位置に接近していた場合、マイクロホンヘッドが視界遮り書見板６上の原稿を見えにくくした。しかし、２本のマイクロホン１Ｒとマイクロホン１Ｌを配置し、マイクロホンヘッドとマイクロホンヘッドの間に、間隔ＳＰを取ったことで、書見板６上の原稿が一層見やすくなったばかりか、講演者の顔が多少横を向いて話しても、声は明瞭に確実にマイクに収音できるようになった。【００１０】講演台全体を様々な素材の組み合わせと、多彩なデザインや形状やサイズに改良できるようマイクロホン上下昇降駆動装置と書見板上下昇降駆動装置のユニットＡＢＵおよび手元スイッチユニットＳＵならびにマイクロホンと書見板上下昇降遠隔操作スイッチ盤ユニットＲＣＵを考案した。それらを採用するなら、制作工程の短縮と多数のマイクロホンも設置でき、従来にない講演台が創作できのである。
【発明の効果】
【００１１】本発明により、講演者自身がマイクロホンと書見板を、手元にあるスイッチ操作で自分の好む位置に設置して、話しやすい環境を整えることができ、しかも他の人が講演者に代わって遠隔操作スイッチ盤ＲＣのスイッチを操作して、講演者の好む位置にマイクロホンと書見板を設置できる機能的でスッキリした講演台になるである。しかも、駆動装置ＡＢＵ、手元スイッチＳＵ、遠隔操作スイッチ盤ＲＣＵのユニットを採用し使用することによって、多彩なデザインや形状やサイズの講演台が創作され、これまで講演台は単なる備品用具の地位から、ホールを飾る洗練された工芸品の地位に取って変わるのである。
【図面の簡単な説明】
【００１２】
【図１】本発明の構成部品とその各部品の設置場所の実施例の透視図である。
【図２】本発明のマイクロホン上下昇降駆動装置の構成部品とその他の附属部品の拡大図である。
【図３】本発明の書見板上下昇降駆動装置の構成部品とその他の附属部品の拡大図である。
【図４】本発明のマイクロホンと書見板を同時に等間隔で上昇させるスイッチ操作図である。
【図５】本発明のマイクロホンと書見板を同時に等間隔で下降させるスイッチ操作図である。
【図６】本発明のマイクロホンのみを上昇させるスイッチ操作図である。
【図７】本発明のマイクロホンのみを下降させるスイッチ操作図である。
【図８】本発明の書見板のみを上昇させるスイッチ操作図である。
【図９】本発明の書見板のみを下降させるスイッチ操作図である。
【図１０】本発明のマイクヘッドとマイクヘッドの間隔とマイクヘッドと講演者の口元までの距離の上面図である。
【図１１】本発明のマイクヘッドとマイクヘッドの間隔の正面図である。
【図１２】本発明のマイクロホン上下昇降駆動装置と書見板上下昇降駆動装置および遠隔操作スイッチ盤の機能説明図である。
【図１３】本発明のマイクロホンと書見板上下昇降遠隔操作スイッチ盤のスイッチ操作方法３例の説明図である。
【図１４】本発明のマイクロホン上下昇降駆動装置と書見板上下昇降駆動装置ユニットおよびスイッチ板のユニット図である。
【図１５】本発明の遠隔操作スイッチ盤のユニット図である。
【図１６】本発明の図１４と図１５の応用実施例である。
【発明を実施するための最良の形態】これから、本発明の実施の形態を図面に従い具体的に説明する。【００１３】図１は、本発明の構成部品とその各部品の設置場所を示すものであり、各部品はその組み合わせで本発明の意図する機能を引き出すものである。【００１４】図２は、マイクロホン上下昇降駆動装置Ａが、ラックシャフト８とリニアヘッド９とモーター１０および小歯車１１とポテンショメータ１２の部品で構成されていることを示すものである。そして、ラックシャフト８の縦軸上端と下端の各各をボルトで固定して不動にする。このラックシャフト８の縦軸に沿って上昇下降するのはマイクロホン上下昇降駆動装置稼働部ＡＡである。
加えて、マイクロホン上下昇降駆動装置稼働部ＡＡのリニアヘッド９の前面にパイプシャフト連結板４を２本のボルトｂで固定し、そのパイプシャフト連結板４の右端の穴にパイプシャフト３を挿入し、左端の穴にもパイプシャフトを挿入して、各各をネジＳＣで固定する。
さらに、パイプシャフト３の二本の先端にコネクタ２を取り付け、右のコネクタ２にマイクロホン１Ｒを、左のコネクタ２にマイクロホン１Ｌを挿入する。これで、マイクロホン上下昇降駆動装置稼働部ＡＡに必要な附属部品が取り付けられた。【００１５】図３は、書見板上下昇降駆動装置Ｂが、ラックシャフト８とリニアヘッド９とモーター１０および小歯車１１とポテンショメータ１２の部品で構成されていることを示すものである。そして、ラックシャフト８の縦軸上端と下端の各各をボルトで固定して不動にした。このラックシャフト８の縦軸に沿って上昇下降するのは書見板上下昇降駆動装置稼働部ＢＢである。
加えて、書見板上下昇降駆動装置稼働部ＢＢのリニアヘッド９の前面に書見板シャフト７を２本のボルトで固定して、その書見板シャフト７の頂点やや下、側面にあるボルト穴２つに、書見板６の下面中央にある金具をボルトで固定する。上の穴はボルトｂで、下の穴にはノブ付ボルトｋｂで固定する。これで、書見板上下昇降駆動装置稼働部ＢＢに必要な附属部品が取り付けられたのである。なお、書見板６はノブ付ボルトｋｂを緩めると角度調整ができるようにした。【００１６】図４〜図９では、マイクロホン上下昇降駆動装置稼働部ＡＡと書見板上下昇降駆動装置稼働部ＢＢを始動上昇させ、かつ始動下降させて停止させる、天板１５上にある手元スイッチ、つまりマイクロホン上下昇降スイッチＳ１と書見板上下昇降スイッチＳ２の操作方法を説明する。【００１７】図４は、マイクロホン１Ｒと１Ｌおよび書見板６を同時に等間隔で上昇させる場合。
マイクロホン上下昇降スイッチＳ１と書見板上下昇降スイッチＳ２を人差し指と中指で同時に前へ押すと、瞬時にマイクロホン上下昇降駆動装置稼働部ＡＡと書見板上下昇降駆動装置稼働部ＢＢが始動上昇する。マイクロホン１Ｒと１Ｌおよび書見板６が好む位置にきたら直ぐスイッチから２本の指を離すと、マイクロホン上下昇降駆動装置稼働部ＡＡと書見板上下昇降駆動装置稼働部ＢＢが瞬時に停止して、マイクロホン１Ｒと１Ｌおよび書見板６が所定の位置に設定されるのである。【００１８】図５は、マイクロホン１Ｒと１Ｌおよび書見板６を同時に等間隔で下降させる場合。
マイクロホン上下昇降スイッチＳ１と書見板昇降スイッチＳ２を人差し指と中指で同時に手前に引くと、瞬時にマイクロホン上下昇降駆動装置稼働部ＡＡと書見板上下昇降駆動装置稼働部ＢＢが始動下降する。マイクロホン１Ｒと１Ｌおよび書見板６が好む位置にきたら、直ぐスイッチから２本の指を離すとマイクロホン上下昇降駆動装置稼働部ＡＡと書見板上下昇降駆動装置稼働部ＢＢが瞬時に停止して、マイクロホン１Ｒと１Ｌおよび書見板６が所定の位置に設定されるのである。【００１９】図６は、マイクロホン１Ｒと１Ｌのみ上昇させる場合。
マイクロホン上下昇降スイッチＳ１を人差し指で前へ押すと、マイクロホン上下昇降駆動装置稼働部ＡＡが瞬時に始動上昇する。マイクロホン１Ｒと１Ｌが好む位置にきたら、直ぐスイッチから指を離すとマイクロホン上下昇降駆動装置稼働部ＡＡのみが瞬時に停止して、マイクロホン１Ｒと１Ｌが所定の位置に設定されるのである。【００２０】図７は、マイクロホン１Ｒと１Ｌのみ下降させる場合。
マイクロホン上下昇降スイッチＳ１を人差し指で手前に引くと、マイクロホン上下昇降駆動装置稼働部ＡＡが瞬時に始動下降する。マイクロホン１Ｒと１Ｌが好む位置にきたら直ぐスイッチから指を離すとマイクロホン上下昇降駆動装置稼働部ＡＡのみが瞬時に停止して、マイクロホン１Ｒと１Ｌが所定の位置に設定されるのである。【００２１】図８は、書見板６のみ上昇させる場合。
書見板上下昇降スイッチＳ２を人差し指で前へ押すと、書見板上下昇降駆動装置稼働部ＢＢが瞬時に始動上昇する。書見板６が好む位置にきたら直ぐスイッチから指を離すと書見板上下昇降駆動装置稼働部ＢＢのみが瞬時に停止して、書見板が所定の位置に設定されるのである。【００２２】図９は、書見板６のみ下降させる場合。
書見板昇降スイッチＳ２を人差し指で手前に引くと、書見板上下昇降駆動装置稼働部ＢＢが瞬時に始動下降する。書見板６が好む位置にきたら直ぐスイッチから指を離すと書見板上下昇降駆動装置稼働部ＢＢのみが瞬時に停止して、書見板が所定の位置に設定されるのである。【００２３】図１０は、２本のマイクロホン１Ｒと１Ｌを書見板６の前、右に１Ｒと左に１Ｌを配置しマイクヘッドとマイクヘッドの間に約２０ｃｍほどの間隔ＳＰを取る。また講演者の口元からマイクヘッドの間に約２０ｃｍほどの距離ＳＰを取る。この対策により講演者の息遣い、半濁音パピプペポＢＮの吹かれを軽減することができる。【００２４】図１１は、従来多く使用してきたダイナミックマイクロホンの大きなマイクロホンヘッドが、講演者の鼻と口の前に位置していてマイクロホンヘッドに遮られて書見板上の原稿が見えにくかっただけでなく、［００２３］で述べた、講演者の息遣い、半濁音パピプペポＢＮの吹かれがマイクロホンに収音される難点があった。しかし、２本のマイクロホン１Ｒと１Ｌを配置し、マイクロホンヘッドとマイクロホンヘッドの間に、間隔ＳＰを取ったことで、書見板６上の原稿が一層見やすくなり、講演者の顔が多少横を向いて話しても、声は明瞭に確実にマイクに収音できるのである。【００２５】図１２と図１３を用いて、マイクロホンと書見板上下板昇降遠隔操作スイッチ盤ＲＣとマイクロホン上下昇降駆動装置稼働部ＡＡおよび書見板上下昇降駆動装置稼働部ＢＢのとの関連と、マイクロホンと書見板上下板昇降遠隔操作スイッチ盤ＲＣの機能とスイッチ操作方法について説明する。
図１２で示すマイクロホンと書見板上下昇降遠隔操作スイッチ盤ＲＣは、金属ケース１８表面上部、右に数値表示パネル１９Ｒを左に数値表示パネル１９Ｌをはめ込み、その数値表示パネル１９Ｒの下に書見板上下昇降遠スイッチＳ２を固定し、数値表示パネル左１９Ｌの下にマイク上下昇降スイッチＳ１を固定した。そして、数値表示パネル１９Ｒと１９Ｌに表示される数値は、ポテンショメータ１２からケーブル２０を通じて得られるようにした。
さらに図１２では、実線でマイクロホン上下昇降駆動装置稼働部ＡＡと書見板上下昇降駆動装置稼働部ＢＢが、ラックシャフト８の縦軸下部に描かれている。これはマイクロホン上下昇降駆動装置稼働部ＡＡと書見板上下昇降駆動装置稼働部ＢＢが下限界にあることを示したものである。そして、２枚の数値表示パネル１９Ｒと１９Ｌでの数値表示は共に００を示している。よって、数値００は下限界の基準値として採用した。
加えて、下限界をオーバーランしないようマイクロホン上下昇降駆動装置稼働部ＡＡと書見板上下昇降駆動装置稼働部ＢＢの各各のモーター１０下部に、リミットスイッチのオンとオフの部分が接触できるようにし、リミットスイッチ１４を各各に配置固定した。
同様に、図１２で示す点線でマイクロホン上下昇降駆動装置稼働部ＡＡと書見板上下昇降駆動装置稼働部ＢＢが、ラックシャフト８の縦軸上部に描かれている。これはマイクロホン上下昇降駆動装置稼働部ＡＡと書見板上下昇降駆動装置稼働部ＢＢが上限界にあることを示したものである。そして、２枚の数値表示パネル１９Ｒと１９Ｌでの数値表示は共に４０を示している。よって、数値４０は上限界の基準値として採用した。
加えて、上限界をオーバーランしないようマイクロホン上下昇降駆動装置稼働部ＡＡと書見板上下昇降駆動装置稼働部ＢＢの各各のモーター１０上部に、リミットスイッチのオンとオフの部分が接触できるようにし、リミットスイッチ１４を各各に配置固定した。【００２６】図１３は、マイクロホンと書見板上下昇降遠隔操作スイッチ盤ＲＣのスイッチ操作例を三つ示した図である。スイッチ操作方法は図４〜図９で説明したのと全く同じである。但し、マイクロホンと書見板上下昇降遠隔操作スイッチ盤ＲＣは、講演者が操作するのはなく広いステージの中央に置かれている講演台まで、ステージの袖から講演者が講演台まで到着する間に、ステージの袖から他の人が講演者の好む位置に、マイクロホン１Ｒと１Ｌおよび書見板６を設定できるよう考案したものである。
その１例：（イ）身長の低い人が使う場合。
講演台（Ａ）のマイクロホン上下昇降駆動装置稼働部ＡＡと書見板上下昇降駆動装置稼働部ＢＢの位置は下限界にある。数値パネル１９Ｌと１９Ｒの表示数値は共に００を示している。これは、身長の低い人の場合、マイクロホン１Ｒと１Ｌおよび書見板６の位置が丁度よいとういことである。故にスイッチ操作は行わなくてよいのである。但し、ＡＡとＢＢは下限界に位置しており、これ以上下降しないので、僅かな上昇下降の調整が心要な場合、上昇のみの調整は可能である。それは、図４と図６と図８で示したスイッチ操作方法で行える。
そして、数値パネル１９Ｌと１９Ｒの表示数値が共に００なので、数値００を身長の低い人に対応する基準値とした。そこでこの基準値を適用して、身長差の違いにすぐ対処できるよう、簡単な数値と身長の対応表を作成して適用するとスイッチ操作が楽で早くなる。
（数値と身長の対応表）
数値００＝身長１６０ｃｍ．数値０５＝身長１６５ｃｍ．数値１０＝身長１７０ｃｍ．  数値１５＝身長１７５ｃｍ．数値２０＝身長１８０ｃｍ．数値２５＝身長１８５ｃｍ．  数値３０＝身長１９０ｃｍ．数値３５＝身長１９５ｃｍ．数値４０＝身長２００ｃｍ．
その２例：（ロ）平均身長の人が使う場合。
身長の低い人のすぐ後に使用するなら、平均身長１７０ｃｍ前後なら、数値と身長の対応表を適用して、マイクロホンと書見板上下昇降遠隔操作スイッチ盤ＲＣのスイッチＳ１とスイッチＳ２を人差し指と中指をスイッチに掛けて、同時に前へ押して数値表示パネルの数値が１０を示したら、直ぐスイッチから２本の指を離すと、マイクロホン上下昇降駆動装置稼働部ＡＡと書見板上下昇降駆動装置稼働部ＢＢが瞬時に停止して、マイクロホン１Ｒと１Ｌおよび書見板６が身長１７０ｃｍ前後の人の適当な位置に設定できる。
もし、マイクロホン１Ｒと１Ｌと書見板６の両方、或いはどちらかの上昇や下降の調整が必要の場合、図４〜図９で示したスイッチ操作手順に従い僅かな調整も行うことができる。
その３例：（ハ）（１９０ｃｍ位）が使うの場合。
平均身長の人のすぐ後に使用するなら、マイクロホン書見板上下昇降遠隔操作スイッチ盤のスイッチＳ１とＳ２を人差し指と中指をスイッチに掛けて、同時に前へ押し続け、数値表示パネルの数値が３０を示したら、直ぐスイッチから２本の指を離すと、マイクロホン上下昇降駆動装置稼働部ＡＡと書見板上下昇降駆動装置稼働部ＢＢが瞬時に停止して、マイクロホン１Ｒと１Ｌおよび書見板６が長身の人の適当な位置に設定できる。
もし、マイクロホン１Ｒと１Ｌと書見板６の両方、或いはどちらかの上昇や下降の調整が必要の場合、図４〜図９で示したスイッチ操作手順に従い僅かな調整も行うことができる。ちなみに、本発明のマイクロホン１Ｒと１Ｌおよび書見板６の最低位置と最高位置の範囲は身長１６０ｃｍ〜２００ｃｍまで対応可能である。【００２７】図１４は、講演台を多種の素材で、多彩なデザインや様々な形状やサイズに改良できるよう、しかも制作工程を短縮するために３つの部分をユニットにすることができる。
その１．スイッチユニットＳＵ。
これは、アクリル板ＡＢにスイッチ（リターンスイッチ）ＲＳ２個を配置固定したものである。そのスイッチの一つはマイクロホン上下昇降駆動装置稼働部ＡＡの上昇や下降の作動を操作するためのマイクロホン上下昇降スイッチＳ１で、もう一つのスイッチは書見板上下昇降駆動装置稼働部ＢＢの上昇や下降の作動を操作するための書見板上下昇降スイッチＳ２である。
その２．マイクロホンと書見板上下昇降駆動装置ユニットＡＢＵ。
これは、金属フレームＭＦ内にマイクロホン上下昇降駆動装置Ａと書見板上下昇降駆動装置Ｂ内にあるラックシャフト８二本の縦軸上端と縦軸下端を各各ボルトで固定し不動にした。次いで、金属フレームＭＦにリミットスイッチ４個を配置固定し、加えて、モーター制御盤１３と電源コンセント盤Ｄを取り付けてものである。
その３．マイクロホンと書見板上下昇降遠隔操作スイッチ盤ユニットＲＣＵ。
図１５に示すように、金属ケース１８表面上部に右に数値表示パネル１９Ｒを左に数値表示パネル１９Ｌをはめ込み、数値表示パネル１９Ｒの下に書見板上下昇降スイッチＳ２を固定し、数値表示パネル１９Ｌの下にマイクロホン上下昇降ス降スイッチＳ１を固定した。そして左記の部品を組み込んだ金属ケース１８にケーブル２０を接続し、そのケーブルの先端にプラグＰを取り付けたものである。【００２８】図１６は、スイッチユニットＳＵ、マイクロホンおよび書見板上下昇降駆動装置ユニットＡＢＵ、マイクロホン書見板上下昇降遠隔操作スイッチ盤ユニットＲＣＵを採用することによって、講演台のサイズや形状やデザインを多様化することができる。しかもマイクロホンも多数設置することができるようになる。制作工程の短縮にもなる。図はその実施の一例を示すものである。
この考案によって従来、政府要人や有名人が講演台に立ち、マスメディアに向かって話すとき、様々な種類のマイクロホンが立ち並びんでいた。傍目にも乱雑の感があり、スッキリした印象ではない。図１６の実施例のようにすれば見た目にも洗練された講演台になり、講話に華を添えるものとなる。
【符号の説明】
【００２９】    １Ｒ  マイクロホン右
１Ｌ  マイクロホン左
２  コネクタ
３  パイプシャフト
４  パイプシャフト連結板
５  マイクロホンコード
６  書見板
７  書見板シャフト
８  ラックシャフト
９  リニアヘッド
１０  モーター
１１  歯車
１２  ポテンショメータ
１３  モーター制御盤
１４  リミットスイッチ
１５  大板
１６  箱
１７  下板
１８  金属ケース
１９Ｒ  数値表示パネル右
１９Ｌ  数値表示パネル左
２０  ケーブル
２１  球キャスター
Ａ  マイクロホン上下昇降駆動装置
ＡＡ  マイクロホン上下昇降駆動装置稼働部ＡＡ
Ｂ  書見板上下昇降駆動装置
ＢＢ  書見板上下昇降駆動装置稼働部ＢＢ
Ｃ  ボックス部
Ｄ  電源コンセント盤
Ｅ  電源スイッチ
Ｆ  電源コンセント
Ｓ１  マイク上下昇降スイッチ
Ｓ２  書見板上下昇降スイッチ
ＡＢ  アクリル板
ＡＢＵ  マイクロホンと書見板上下昇降駆動装置ユニット
ＢＮ  息遣い、半濁音
ｂ  ボルト
ｋｂ  ノブボルト
ＬＬ  下限界
ＭＬ  上限界
ＭＦ  金属フレーム
Ｐ  プラグ
ＰＪ  プラグジャック
ＲＳ  リターンスイッチ
ＳＵ  スイッチユニット
ＳＣ  ネジ
ＳＰ  間隔
ＲＣ  マイクロホン書見板上下昇降遠隔操作スイッチ盤
ＲＣＵ  マイクロホン書見板上下昇降遠隔操作スイッチ盤ユニット
【図１】
2011072762.tif 000003
【図２】
2011072762.tif 000004
【図３】
2011072762.tif 000005
【図４】
2011072762.tif 000006
【図５】
2011072762.tif 000007
【図６】
2011072762.tif 000008
【図７】
2011072762.tif 000009
【図８】
2011072762.tif 000010
【図９】
2011072762.tif 000011
【図１０】
2011072762.tif 000012
【図１１】
2011072762.tif 000013
【図１２】
2011072762.tif 000014
【図１３】
2011072762.tif 000015
【図１４】
2011072762.tif 000016
【図１５】
2011072762.tif 000017
【図１６】
2011072762.tif 000018